(57)【要約】【課題】一体的なデザインを持たせることが可能であり、欄間のない開口部装置と共通の部品を使用することができる欄間付き開口部装置を提供する。【解決手段】矩形のサッシ枠と、該サッシ枠に架け渡された無目により、欄間部２０と開口部１０とに仕切られ、欄間部には複層ガラスパネル２１が装着され、開口部には障子３０が装着されるとともに、サッシ枠はその室内側に樹脂カバーを備える樹脂アルミ複合サッシとして構成された欄間付き開口部装置１００において、樹脂カバーは開口部にあって戸当りパッキンが取り付けられる開口部縦枠カバー部材３０３、３０４と、欄間部にあって複層ガラスパネルを支えるシール部材を取り付ける欄間部縦枠カバー部材１０８、１０９と、開口部から欄間部へと連続して設けられ開口部縦枠カバー部材及び欄間部縦枠カバー部材に幅方向の一方の端部が当接されるアングル部材１０４、１０５とを備えるように構成する。【選択図】      図１
2004324292.tif 000002
【特許請求の範囲】
【請求項１】
矩形のサッシ枠と、該サッシ枠に架け渡された無目により、欄間部と開口部とに仕切られ、前記欄間部には複層ガラスパネルが装着され、前記開口部には障子が装着されるとともに、前記サッシ枠はその室内側に樹脂カバーを備える樹脂アルミ複合サッシとして構成された欄間付き開口部装置であって、
前記無目の室内側面は、前記サッシ枠の室内側先端部より、室外寄りに位置し、
前記樹脂カバーは、前記開口部にあって戸当りパッキンが取り付けられる開口部縦枠カバー部材と、前記欄間部にあって前記複層ガラスパネルを支えるシール部材を取り付ける欄間部縦枠カバー部材と、前記開口部から前記欄間部へと連続して設けられ前記開口部縦枠カバー部材及び前記欄間部縦枠カバー部材に幅方向の一方の端部が当接されるアングル部材を備えることを特徴とする、欄間付き開口部装置。
【発明の詳細な説明】
【０００１】
【発明の属する技術分野】
本発明は、上部に欄間が設けられた開口部装置に関し、特に欄間に複層ガラスパネルが取り付けられ、樹脂アルミ複合サッシとして枠が構成されている欄間付き開口部装置に関する。
【０００２】
【従来の技術】
居住用建物の省エネルギー化を推進するために、複層ガラスを備えた樹脂アルミ複合サッシの需要が増大している。このような複層ガラスを備えた樹脂アルミ複合サッシを開口部に使用した場合、室内外の断熱が良好で、夏季は涼しく冬季は暖かい快適な居住空間を実現することが可能である。また、冬季に室内側に結露を生じることがなく、さらに樹脂形材を木目調の色調にすることにより見た目にも落ち着きのある高級感あるインテリアを創造することができる。
【０００３】
一方、室内上部からの採光や換気を図るための構造として、従来より欄間構造が知られている。近年需要者の要求の多様化や高級化により、複層ガラスを備えた樹脂アルミ複合サッシを備えた開口部に、欄間を組合わせてはどうかという要望が高まりつつある。
【０００４】
かかる要望に応えるため、従来の複層ガラスを備えた樹脂アルミ複合サッシを備えた開口部の上部に、欄間を継ぎ足すように追加設置する構造も考えられる。
【０００５】
【発明が解決しようとする課題】
しかし、上記継ぎ足し構造では、欄間と開口部との一体的なデザインを構成することが困難であるという問題があった。また、欄間のない開口部装置と、欄間付き開口部装置とが共通の部品を使用することができないかという要求もあった。
【０００６】
そこで、本発明は、一体的なデザインを持たせることが可能であり、欄間のない開口部装置と共通の部品を使用することができる欄間付き開口部装置を提供することを課題とする。
【０００７】
【課題を解決するための手段】
以下、本発明について説明する。なお、本発明の理解を容易にするために添付図面の参照符号を括弧書きにて付記するが、それにより本発明が図示の形態に限定されるものではない。
【０００８】
請求項１の発明は、矩形のサッシ枠（２０１、２０２、４０１、４０２）と、該サッシ枠に架け渡された無目（４０６）により、欄間部（２０）と開口部（１０）とに仕切られ、欄間部には複層ガラスパネル（２１、２１ａ、２１ｂ）が装着され、開口部には障子（３０）が吊り込まれるとともに、サッシ枠はその室内側に樹脂カバー（１０１、１０２、１０２、１０４、１０５、１０８、１０９、１１０、１１１）を備える樹脂アルミ複合サッシとして構成された欄間付き開口部装置（１００）であって、無目の室内側面は、前記サッシ枠の室内側先端部より、室外寄りに位置し、樹脂カバーは開口部にあって戸当りパッキン（３０１、３０２）が取り付けられる開口部縦枠カバー部材（３０３、３０４）と、欄間部にあって複層ガラスパネルを支えるシール部材（２０３、２０４）を取り付ける欄間部縦枠カバー部材（１０８、１０９）と、開口部から欄間部へと連続して設けられ開口部縦枠カバー部材及び欄間部縦枠カバー部材に幅方向の一方の端部が当接されるアングル部材（１０４、１０５）とを備えることを特徴とする欄間付き開口部装置を提供して前記課題を解決する。
【０００９】
この発明によれば、アングル部材である樹脂カバーは、開口部から欄間部へと連続して設けられ、欄間部と開口部との間を上下方向に貫かれて配置されているので、デザインに一体感を持たせることができ、欄間付き開口部装置の高級感をさらに高めることが可能である。また、開口部縦枠カバー部材と、アングル部材とにより、欄間なしの開口部装置の樹脂カバー部を構成することができるので、欄間付き開口部装置と欄間なし開口部装置との部品を共通化して、部品数の削減に資することができる。
【００１０】
本発明のこのような作用及び利得は、次に説明する実施の形態から明らかにされる。
【００１１】
【発明の実施の形態】
以下本発明を図面に示す実施形態に基づき説明する。
【００１２】
図１は、本発明の１実施形態にかかる欄間付き開口部装置を示す正面図である。この欄間付き開口部装置１００は、人が出入りできる開口部１０と、開口部１０の上方に設けられた欄間部２０を備えている。本実施形態にかかる欄間付き開口部装置１００は、その構造の主体をなすアルミニウム形材により組み立てられた枠体、無目、及び無目下方の枠体内に吊り込まれた障子の枠体は室外側に配置されている。図１は、室内側から正面視した場合の欄間付き開口部装置１００が表されており、前記アルミニウム形材の室内側に組み付けられた各樹脂形材、並びに開口部ガラスパネル３１、及び欄間ガラスパネル２１が表されている。
【００１３】
以下に図１に表されている室内側の各樹脂形材について説明する。本実施形態の欄間付き開口部装置１００全体を囲む枠体には、水平方向に上枠樹脂形材１０１、及び下枠樹脂形材１０２が配置され、さらにこれらの上下枠樹脂形材の中間やや上方寄りには無目樹脂形材１０３が室外側のアルミニウム形材に対応して取り付けられている。これら水平に配置された上枠樹脂形材１０１、下枠樹脂形材１０２、及び無目樹脂形材１０３の左右両端部に接するように、かつ上部の欄間部２０から下部の開口部１０を貫くように、垂直方向に２本のアングル樹脂形材１０４、１０５が室外側に配置された縦枠の室内側に取り付けられている。さらに、開口部１０において、これら２本のアングル樹脂形材１０４、１０５の内側には、戸当りパッキンが取り付けられるべき、戸当りパッキン取り付け樹脂形材３０３、３０４が配置されている。
【００１４】
開口部１０に吊り込まれている障子３０には、上桟樹脂形材３２と、下桟樹脂形材３３と、左框樹脂形材３４と、右框樹脂形材３５とが、室外側に組み立てられている各アルミニウム形材に対応して、それぞれの室内側に組み付けられている。
【００１５】
一方、欄間部２０においては、２本のアングル樹脂形材１０４、１０５の内側には、ガラスパネル２１を固定するためのビードを取り付けるための、ビード取り付け樹脂形材１０８、１０９が水平に配置され、これらビード取り付け樹脂形材１０８、１０９の左右の両端部を結ぶように垂直に配置されたビード取り付け樹脂形材１１０、１１１が設けられている。すなわち４つのビード取り付け樹脂形材１０８、１０９、１１０、１１１は欄間部２０内に四辺形に配置されている。
【００１６】
図２（Ａ）は、図１におけるＩＩＡ−ＩＩＡ線に沿った欄間部の水平断面図、（Ｂ）は、（Ａ）における参照符号Ｂで示される鎖線で囲まれた円形部分の拡大図である。なお、図２では、図面上方が室外側、下方が室内側を表している。図２（Ａ）において、左右両端部には縦枠アルミニウム形材２０１、２０２が配置されている。左右の縦枠アルミニウム形材２０１、２０２の内側かつ室内側寄りには２本のアングル樹脂形材１０４、１０５と、さらにその内側には、ビードを取り付けるための、ビード取り付け樹脂形材１０８、１０９が配置されている。図２においてはアングル樹脂形材１０４、１０５、及びビード取り付け樹脂形材１０８、１０９にはハッチングを付して、アルミニウム形材との区別をつけている。ビード取り付け樹脂形材１０８、１０９の内側部先端の室外側にはビード２０３、２０４が取り付けられている。一方、左右の縦枠アルミニウム形材２０１、２０２の室外側にもビード取り付け樹脂形材１０８、１０９に対向するようにリブ２０５、２０６が内側方向に延設され、その先端にはビード２０７、２０８が取り付けられている。これらのビード２０３及び２０７、並びにビード２０４及び２０８に挟持されるように、複層ガラス２１ａ、２１ｂが配置されている。これら複層ガラス２１ａ、２１ｂはそれらの間にスペーサ２０９、２１０を挟持することにより所定の間隔が保持されている。
【００１７】
図３は、（Ａ）図１におけるＩＩＩＡ−ＩＩＩＡ線に沿った開口部の水平断面図である。（Ｂ）は、（Ａ）における参照符号Ｂで示される鎖線で囲まれた円形部分の拡大図である。なお、図３においても図面上方が室外側、下方が室内側を表している。図３（Ａ）において、左右両端部には縦枠アルミニウム形材２０１、２０２が配置されている。左右の縦枠アルミニウム形材２０１、２０２の見付け方向内側には障子３０が閉鎖状態にて収容されている。左右の縦枠アルミニウム形材２０１、２０２の室内側の内側には２本のアングル樹脂形材１０４、１０５が配置されている。さらにその内側やや室外寄りには、戸当りパッキン３０１、３０２を取り付けるためのめの、戸当りパッキン取り付け樹脂形材３０３、３０４が配置されている。
【００１８】
障子３０は、２つの蝶番３０５ａ、３０５ｂ（図３には二つの蝶番のうち、下方に配置されている参照符号３０５ａで示される下部蝶番のみ表されている。）を介して、左縦枠アルミニウム形材２０１に吊り込まれるように取り付けられている。障子３０の左右の両端部にはアルミニウム形材により形成された左框３４、及び右框３５が配置されている。この内、左框３４には上記蝶番３０５ａ、３０５ｂが取り付けられ、この蝶番３０５ａ、３０５ｂがさらに左縦枠アルミニウム形材に連結されている。また、右框３５は、障子３０の閉鎖状態においては、右縦枠アルミニウム形材２０２に僅かな距離を隔てて近接している。障子３０の左框３４、及び右框３５の室内側の面にはそれぞれ左框樹脂形材３０６、及び右框樹脂形材３０７が取り付けられている。障子３０の左框３４と左框樹脂形材３０６とに挟持されるようにグレイジングチャネル３０８が配置されている。同様に、右框３５と右框樹脂形材３０８とに挟持されるようにグレイジングチャネル３０９が配置されている。これらのグレイジングチャネル３０８、３０９により複層ガラス３１ａ、３１ｂが障子３０に固定されている。複層ガラス３１ａ、３１ｂは、それらの間に配置されたスペーサ３１０、３１１により両者の間隔が保たれている。
【００１９】
図３において、アングル樹脂形材１０４、１０５、戸当りパッキン取り付け樹脂形材３０３、３０４、及び左框樹脂形材３０６、右框樹脂形材３０７にはハッチングを付して、アルミニウム形材との区別をつけている。障子３０の閉鎖状態において戸当りパッキン３０１、３０２の室外側先端部は左右の框樹脂形材３０６、３０７の室内向きの面に当接される。
【００２０】
図４は、図１におけるＩＶ−ＩＶ線に沿った中央部垂直断面図である。また図５は、図４における上部の拡大図である。これら図４、及び図５によっても明らかなように、開口部装置１００は、開口部１０とその上方に欄間部２０とを備え、開口部１０には障子３０が吊り込まれている。欄間部２０の上部は上部アルミニウム形材４０１が配置され、下部には無目アルミニウム形材４０６が配置されている。一方で無目アルミニウム形材４０６は開口部１０の上方に位置し、開口部１０の下方には下部アルミニウム形材４０２が配置されている。これら水平方向に配置された上部アルミニウム形材４０１、無目アルミニウム形材４０６、および下部アルミニウム形材４０２の室内側にはそれぞれに対応するように、樹脂形材が配置されている。すなわち、上部アルミニウム形材４０１に対応してその室内側には、上枠樹脂形材１０１、及びビード取り付け樹脂形材１１０が取り付けられている。無目アルミニウム形材４０６に対応してその室内側には、無目樹脂形材１０３、及びその欄間部寄りにビード取り付け樹脂形材１１１が取り付けられている。また、下部アルミニウム形材４０２に対応してその室内側には下枠樹脂形材１０２が取り付けられている。
【００２１】
一方、障子３０の上部には上桟アルミニウム形材４０３、下部には下桟アルミニウム形材４０４が配置され、これらに対応するようにその室内側には、上桟樹脂形材３２、下桟樹脂形材３３が取り付けられている。
【００２２】
矢視断面図たる図４、図５には、垂直方向に設けられたビード取り付け樹脂形材１０９が欄間部２０の室内側に、戸当りパッキン取り付け樹脂形材３０４が開口部１０の室内側に現れている。さらに無目樹脂形材１０３の室内側面は、上枠樹脂形材１０１、及び下枠樹脂形材１０２の室内側先端より室外側に位置している。かくして、アングル樹脂形材１０５が欄間部２０から開口部１０に連続して室内側に現れている。なお、図４、及び図５において、ビード取付部材１０９があたかも２部材であるように見えるのは、ビード取付部材１０９が見込み方向に異なる２面を有しているからである（図２において参照符号１０８ａ、１０８ｂで示されている２面に相当する面）。このように、欄間付き開口部装置１００の左右両端に位置するアングル樹脂形材が、欄間部から開口部に貫かれるように配置されているので、欄間付き開口部装置１００の見栄えをすっきりとした物にすることができる。また欄間部と開口部とのデザインに一体感を持たせることが可能となる。−
【００２３】
図６は、本発明にかかる欄間付き開口部装置と部品を共通化することができる開口部装置２００を正面方向から示す参考図である。図６において、図１と同一の部材については同一の参照符号を付してその説明は省略する。開口部装置２００は開口部装置１００から欄間部２０を取り去った構成と同一であり、アルミニウム形材で構成される矩形の枠体の室内側面に樹脂形材が組みつけられ、枠体内部には、障子３０が吊り込まれている。アングル樹脂形材１０４´及び１０５´は、開口部装置１００のアングル樹脂形材１０４、１０５と同一部材を使用し、その長さが異なるのみである。障子３０も同一のものである。したがって、図６のＩＩＩＡ−ＩＩＩＡ線に沿った矢視断面は、図１のＩＩＩＡ−ＩＩＩＡ線に沿った矢視断面、すなわち図３（Ａ）に一致する。すなわち、開口部装置２００は、開口部１０にかかる部分に加えて、アングル樹脂形材を共通部品とすることが可能であり、部品点数を削減してコストダウンに資することが容易となる。
【００２４】
以上、現時点において、もっとも、実践的であり、かつ、好ましいと思われる実施形態に関連して本発明を説明したが、本発明は、本願明細書中に開示された実施形態に限定されるものではなく、請求の範囲および明細書全体から読み取れる発明の要旨或いは思想に反しない範囲で適宜変更可能であり、そのような変更を伴う欄間付き開口部装置もまた本発明の技術的範囲に包含されるものとして理解されなければならない。
【００２５】
【発明の効果】
以上に説明したように、請求項１の発明によれば、アングル部材である樹脂カバーは、開口部から欄間部へと連続して設けられ、欄間部と開口部との間を上下方向に貫かれて配置されているので、デザインに一体感を持たせることができ、欄間付き開口部装置の高級感をさらに高めることが可能である。また、開口部縦枠カバー部材と、アングル部材とにより、欄間なしの開口部装置の樹脂カバー部を構成することができるので、欄間付き開口部装置と欄間なし開口部装置との部品を共通化して、部品数の削減に資することができる。
【図面の簡単な説明】
【図１】欄間付き開口部装置を示す正面図である。
【図２】（Ａ）は、図１におけるＩＩＡ−ＩＩＡ線に沿った欄間部の矢視水平断面図、（Ｂ）は、（Ａ）における参照符号Ｂで示される鎖線で囲まれた円形範囲の拡大図である。
【図３】（Ａ）図１におけるＩＩＩＡ−ＩＩＩＡ線に沿った開口部部の矢視水平断面図である。（Ｂ）は、（Ａ）における参照符号Ｂで示される鎖線で囲まれた円形範囲の拡大図である。
【図４】図１におけるＩＶ−ＩＶ線に沿った中央部矢視垂直断面図である。
【図５】図４における上部の拡大図である。
【図６】本発明にかかる欄間付き開口部装置と部品を共通化することができる開口部装置を示す正面図である。
【符号の説明】
１０  開口部
２０  欄間部
２１、２１ａ、２１ｂ  ガラスパネル
３０  障子
１００  欄間付き開口部装置
１０１  上枠樹脂形材（樹脂カバー）
１０２  下枠樹脂形材（樹脂カバー）
１０３  無目樹脂形材（樹脂カバー）
１０４、１０５  アングル樹脂形材（樹脂カバー／アングル部材）
１０８、１０９  ビード取り付け樹脂形材（樹脂カバー／欄間部縦枠カバー部材）
１１０、１１１  ビード取り付け樹脂形材（樹脂カバー）
２０１  左縦枠アルミニウム形材（サッシ枠）
２０２  右縦枠アルミニウム形材（サッシ枠）
２０３、２０４  ビード（シール部材）
３０１、３０２  戸当りパッキン
３０３、３０４  戸当りパッキン取り付け樹脂形材（樹脂カバー／開口部縦枠カバー部材）
４０１  上部アルミニウム形材（サッシ枠）
４０２  下部アルミニウム形材（サッシ枠）
４０６  無目
【図１】
2004324292.tif 000003
【図２】
2004324292.tif 000004
【図３】
2004324292.tif 000005
【図４】
2004324292.tif 000006
【図５】
2004324292.tif 000007
【図６】
2004324292.tif 000008